(57)【要約】【課題】青色半導体レーザーを用いた出力機に対して高い実用感度を有し、かつ明室下での取り扱いが可能であり、印刷版として高耐刷力で保存安定性が良好な青色半導体レーザー用平版印刷版を提供する。【解決手段】支持体上に少なくともハロゲン化銀乳剤層及び物理現像核層を有し、前記ハロゲン化銀乳剤層が下記化１で表される増感色素の中の少なくとも１種を含有することを特徴とする青色半導体レーザー用平版印刷版。【化１】2005043403.tif 000024〔化１中、Ｒ１、Ｒ２、Ｒ３及びＲ４は水素原子、置換されていてもよいアルキル基、アルコキシ基、アリル基、アリール基、ハロゲン原子、複素環基を表し、Ａはアルキレン基を表し、Ｑは多重結合を有するアルキル基または複素環基を表す。但しＲ１とＲ２が互いに結合して縮合環を形成してもよい。〕【選択図】    なし【特許請求の範囲】
【請求項１】
支持体上に少なくともハロゲン化銀乳剤層及び物理現像核層を有し、前記ハロゲン化銀乳剤層が下記化１で表される増感色素の中の少なくとも１種を含有することを特徴とする青色半導体レーザー用平版印刷版。
【化１】
2005043403.tif 000022
〔化１中、Ｒ１、Ｒ２、Ｒ３及びＲ４は水素原子、置換されていてもよいアルキル基、アルコキシ基、アリル基、アリール基、ハロゲン原子、複素環基を表し、Ａはアルキレン基を表し、Ｑは多重結合を有するアルキル基または複素環基を表す。但しＲ１とＲ２が互いに結合して縮合環を形成してもよい。〕
【請求項２】
請求項１において、化１に示される置換基Ｑの多重結合を有するアルキル基がエチニル基であることを特徴とする青色半導体レーザー用平版印刷版。
【請求項３】
請求項１において、化１に示される置換基Ｑの複素環基が下記化２から選ばれた１種であることを特徴とする青色半導体レーザー用平版印刷版。
【化２】
2005043403.tif 000023
〔化２中、Ｒ５、Ｒ６、Ｒ７、Ｒ８、Ｒ９及びＲ１０は水素原子、置換されていてもよいアルキル基、アルコキシ基、アリル基を表す。＊はＡとの結合点を表す。〕
【発明の詳細な説明】
【０００１】
【発明の属する技術分野】
本発明は、銀錯塩拡散転写法を応用した走査露光用平版印刷版に関し、特に青色半導体レーザー用平版印刷版に関する。
【０００２】
【従来の技術】
銀錯塩拡散転写法（ＤＴＲ法）によって得られる転写銀画像を直ちにインキ受理性として利用することができる平版印刷版は既に知られている。その１つのタイプは、支持体（例えば、ポリエチレン樹脂を被覆した紙ベース、ポリエチレンテレフタレートベース等）上に少なくともハロゲン化銀乳剤層及び物理現像核層をこの順に有する平版印刷版であり、例えば米国特許第３，７２１，５５９号、同第３，４９０，９０５号、同第３，３８５，７０１号、同第３，８１４，６０３号、同第３，４５４，３９８号、同第３，７６４，３２３号、同第３，０９９，２０９号、特公昭４４−２７２４２号、同４８−３０５６２号、特開昭５３−９６０３号、同５３−２１６０２号、同５４−１０３１０４号、同５６−９７５０号公報等に記載されている。
【０００３】
上記平版印刷版はゼラチンをバインダーとする乳剤層の表面に物理現像核を有し、露光された乳剤層中のハロゲン化銀結晶は、ＤＴＲ現像により化学現像を生起し、黒色の銀となり、ゼラチンを主体とする親水性の非画像部を形成する。一方、未露光のハロゲン化銀結晶は現像液中の銀塩錯化剤により銀塩錯体となって表面の物理現像核層まで拡散し、核の存在により物理現像を生起してインキ受容性の物理現像銀を主体とする画像部を形成する。
【０００４】
ここで、銀画像部はインキ受理性として、非画像部のゼラチン表面はインキ反発性として印刷に供される。
【０００５】
もう１つのタイプは、粗面化及び陽極酸化されたアルミニウム支持体に担持された物理現像核の上にハロゲン化銀乳剤層を有する平版印刷版（以降、アルミ平版印刷版と称す）が知られており、例えば特開平５−２１６２３６号、同平６−８１１９４号公報等に記載されている。この平版印刷版は露光、現像処理後、ハロゲン化銀乳剤層をウオッシュオフ（水洗除去）して、金属銀膜からなる画像部とアルミ陽極酸化表面からなる非画像部が現れる。
【０００６】
上記２つの平版印刷版は構成及び製版方法は異なるが、画像銀をインキ受理性にする点に於いては共通するものである。これらの平版印刷版は、親油性のインキを受理する画像部分と親水性で水を受理する非画像部分とから構成される。従って、通常の平版印刷は水（給湿液）とインキの両方を版面に供給し、画像部分は着色性のインキを、非画像部分は水を選択的に受け入れ、該画像上のインキを例えば紙等の基質に転写させることによってなされる。
【０００７】
また、上記した銀錯塩拡散転写法を利用した平版印刷版には、カメラ露光タイプと走査露光タイプの平版印刷版が知られている。走査露光タイプの平版印刷版としては、例えば、米国特許第４，５０１，８１１号、特開昭５９−７１０５５号、同昭５９−７１０５６号、同昭６０−６１７５２号、同昭６０−７５８３８号、同昭６０−１００１４８号、同昭６０−１７９７４４号、同昭６０−２５２３５２号、同昭６１−１１４２３５号、同昭６３−４７７５６号、同平２−２５１８５３号公報等に、ヘリウム・ネオンレーザー、アルゴンレーザー、半導体レーザー、発光ダイオード等を光源とする走査露光タイプの平版印刷版が記載されている。これらの走査露光用平版印刷版は、ＣＴＰ（コンピューター・ツー・プレート）用の平版印刷版として、好適であり脚光を浴びている。
【０００８】
極近年、４００〜４３０ｎｍに発振波長を持った青色半導体レーザーを搭載した出力機が開発され、出現している。この出力機は上記した従来の出力機に比べ、短波長であるため、レーザーの収束が良好であること、及び出力速度が速いという利点がある。これら青色半導体レーザーの利点を平版印刷版によりよく適用するため、種々の増感色素等を用いて感度並びに印刷版としての性能を改良向上させる試みがなされている（例えば、特許文献１）。しかしながら、この出力機に対して、充分に感光するだけの実用感度を有し、かつ印刷版として耐刷力や保存安定性に優れた性能は未だ不十分である。
【０００９】
【特許文献】
特開２００１−３５０２６７（特許文献１）
【００１０】
【発明が解決しようとする課題】
従って、本発明の目的は、青色半導体レーザーを用いた出力機に対して充分に感光するだけの実用感度を有し、かつ明室下で取り扱いが可能であり、印刷版として高耐刷力で保存安定性が良好な青色半導体レーザー用平版印刷版を提供することにある。
【００１１】
【課題を解決するための手段】
本発明の上記目的は、支持体上に少なくともハロゲン化銀乳剤層及び物理現像核層を有し、前記ハロゲン化銀乳剤層が前記化１で表される増感色素の中の少なくとも１種を含有することを特徴とする青色半導体レーザー用平版印刷版によって達成された。
【００１２】
【発明の実施の形態】
以下、本発明を詳細に説明する。本発明に用いられる増感色素は、前記化１から選ばれる。これらの増感色素について詳細に説明する。
【００１３】
上記化１におけるＲ１、Ｒ２、Ｒ３及びＲ４で表される置換基を有していてもよいアルキル基の例としては、メチル、エチル、ｎ−プロピル、ｉ−プロピル、ｎ−ブチル、ｓｅｃ−ブチル、ｔ−ブチル、ｎ−アミル、β−ヒドロキシエチル、γ−ヒドロキシプロピル、β−アセトキシエチル、β−メトキシエチル、γ−メトキシプロピル、２−ジメトキシエチル、２−ジエトキシエチル、エトキシカルボニルメチル、β−メトキシカルボニルエチル、カルボキシメチル、β−カルボキシエチル、２−シアノエチル、３−シアノプロピル、β−スルホエチル、γ−スルホプロピル、γ−スルホブチル、ベンジル、フェネチル、α−ピコリル、β−ピコリル、γ−ピコリル、フルフリル、テトラヒドロフルフリル、トリフルオロエチル基等が挙げられ、アルコキシ基の例としては、メトキシ、エトキシ、プロポキシ、ブトキシ基等が挙げられ、アリール基の例としては、フェニル、ナフチル、ｏ−トリル、ｍ−トリル、ｐ−トリル、ｐ−メトキシフェニル、ｍ−クロロフェニル基等が挙げられ、ハロゲン原子の例としては、フッ素、塩素、臭素等が挙げられ、、複素環基としては、ピリジル、チエニル、フリル、テトラヒドロフリル、ピロリル、イミダゾリル、イソオキサゾリル基等が挙げられる。
【００１４】
Ａは、アルキレンの連結基を表し、例えばメチレン、エチレン、プロピレン基等が挙げられるが、本発明ではメチレン基が好ましい。
【００１５】
Ｑで表される置換基に於ける、多重結合を有するアルキル基の例としては、ビニル基、１−プロペニル基、イソプロペニル基、エチニル基、１−プロピニル基等が挙げられる。また置換基Ｑの複素環基の例としては、前記化２で表され、Ｒ５、Ｒ６、Ｒ７、Ｒ８、Ｒ９及びＲ１０のアルキル基としては、メチル、エチル、ｎ−プロピル、ｉ−プロピル、ｎ−ブチル、ｓｅｃ−ブチル、ｔ−ブチル基等、アルコキシ基の例としては、メトキシ、エトキシ、プロポキシ、ブトキシ基等が挙げられる。
【００１６】
上記で挙げた増感色素の中でもＱで表される多重結合を有するアルキル置換基がエチニル基からなる増感色素、及び複素環基のフリル基、テトラヒドロフリル基、チエニル基からなる増感色素が好ましい。
【００１７】
以下に、本発明に用いられる増感色素の具体例を示す。
【００１８】
【化３】
2005043403.tif 000002
【００１９】
【化４】
2005043403.tif 000003
【００２０】
【化５】
2005043403.tif 000004
【００２１】
【化６】
2005043403.tif 000005
【００２２】
【化７】
2005043403.tif 000006
【００２３】
【化８】
2005043403.tif 000007
【００２４】
【化９】
2005043403.tif 000008
【００２５】
【化１０】
2005043403.tif 000009
【００２６】
【化１１】
2005043403.tif 000010
【００２７】
これら増感色素は通常の一般的な合成法によって合成することができる。
【００２８】
上記増感色素はハロゲン化銀乳剤層に含有させるが、その添加量は、ハロゲン化銀１モル当たり、１０−５から１０−２モルの範囲が適当である。
【００２９】
本発明が対象とする銀錯塩拡散転写法を利用した平版印刷版としては、前述したように、２つのタイプがあり、その両者とも本発明の効果を発現することができる。
【００３０】
１つのタイプは、ポリエチレン樹脂を被覆した紙ベースやポリエチレンテレフタレートフィルム等のポリエステルベースに、ハレーション防止層を兼ねた下塗層、ハロゲン化銀乳剤層及び物理現像核層を、この順序で塗設した平版印刷版である。
【００３１】
２つ目のタイプは、粗面化及び陽極酸化されたアルミニウム支持体上に物理現像核を担持させ、その上にハロゲン化銀乳剤層を塗設した平版印刷版である。この平版印刷版は、更に、物理現像核とハロゲン化銀乳剤層の間に適宜中間層を設けることができ、またハロゲン化銀乳剤層の上に保護層を設けることができる。
【００３２】
本発明に於いて、ハロゲン化銀乳剤層に含まれるハロゲン化銀は、例えば、塩化銀、臭化銀、塩臭化銀、及びこれらにヨウ化銀を含むものからなる。ハロゲン化銀結晶は、ロジウム塩、イリジウム塩、パラジウム塩、ルテニウム塩、ニッケル塩、白金塩等の重金属塩を含んでいてもよい。特に、ロジウム塩及びイリジウム塩が好ましい。これらの添加量はハロゲン化銀１モル当たり、１０−８から１０−３モルである。ハロゲン化銀の結晶形態に特に制限はなく、立方体ないし、１４面体粒子、さらにはコアシェル型、平板状粒子でもよい。ハロゲン化銀結晶は、単分散、多分散結晶であってもよく、その平均粒子径は、０．２〜０．８μｍの範囲である。好ましい例の一つとしては、ロジウム塩もしくはイリジウム塩を含む、塩化銀が８０モル％以上の単分散もしくは多分散結晶がある。
【００３３】
ハロゲン化銀乳剤は、それが製造される時又は塗布される時に種々な方法で増感することができる。例えば、チオ硫酸ナトリウム、アルキルチオ尿素によって、又は金化合物、たとえばロダン金、塩化金によって、又はこれらの両者の併用など当該研究分野においてよく知られた方法で化学的に増感することが好ましい。
【００３４】
ハロゲン化銀乳剤層はバインダーとして主にゼラチンが用いられるが、その一部をデキストリン、アルブミン、アルギン酸ナトリウム、ヒドロキシエチルセルロース、アラビアゴム、ポリビニルアルコール、ポリビニルピロリドン、カルボキシメチルセルロ−ス、ポリアクリルアミド、スチレン−無水マレイン酸共重合体、ポリビニルメチルエーテル−無水マレイン酸共重合体等の親水性高分子の一種または二種以上で置換することもできる。ハロゲン化銀乳剤層のゼラチン量は、０．５〜４ｇ／ｍ２程度である。
【００３５】
本発明に於いて、物理現像核層には物理現像核として、銀、アンチモン、ビスマス、カドミウム、コバルト、鉛、ニッケル、パラジウム、ロジウム、金、白金等の金属コロイド微粒子や、これらの金属の硫化物、多硫化物、セレン化物、又はそれらの混合物、混晶等を含有する。物理現像核層には、親水性バインダーを含んでいてもいなくても良いが、ゼラチン、澱粉、ジアルデヒド澱粉、カルボキシメチルセルロース、アラビアゴム、アルギン酸ナトリウム、ヒドロキシエチルセルロース、ポリスチレンスルホン酸、ビニルイミダゾールとアクリルアミドの共重合体、ポリビニルアルコール等の親水性高分子又はそのオリゴマーを含むことが出来、その含有量は、０．５ｇ／ｍ２以下であることが好ましい。物理現像核層は、ハイドロキノン、メチルハイドロキノン、カテコール等の現像主薬を含有してもよく、更に、ホルマリン、ジクロロ−ｓ−トリアジン等の公知の硬膜剤を含んでいても良い。
【００３６】
前者のタイプは、ハロゲン化銀乳剤層の下にハレーション防止層を通常有する。下塗り層はバインダーとしてゼラチンを０．５〜１０ｇ／ｍ２、好ましくは１〜６ｇ／ｍ２含有する。下塗り層にはハレーション防止の目的でカーボンブラック等の顔料、染料等を含み得るし、また耐刷力向上のために平均粒子径０．１〜１０μｍの固形粉末（例えばシリカ粒子）を含み得る。さらに現像主薬等の写真用添加物も含むことができる。また下塗り層は特開昭４８−５５０３号、同昭４８−１００２０３号、同昭４９−１６５０７号公報に記載のようなものであってもよい。更に特開平５−８０５１９号、同平５−８０５１７号、同平５−６６５６４号公報記載の非膨潤性ラテックスを含有してもよい。
【００３７】
前者のタイプは、下塗り層及びハロゲン化銀乳剤層のゼラチン含有層には、硬膜剤を含有させる。後者のタイプは、現像処理後、ハロゲン化銀乳剤層を水洗除去するため、硬膜剤は含有させないか、含有させても水洗除去に支障のない程度の少量とするのが好ましい。ゼラチンの硬膜剤としては、例えばクロム明ばんのような無機化合物、ホルマリン、グリオキザール、マレアルデヒド、グルタルアルデヒドのようなアルデヒド類、尿素やエチレン尿素等のＮ−メチロール化合物、ムコクロル酸、２，３−ジヒドロキシ−１，４−ジオキサンのようなアルデヒド類、２，４−ジクロロ−６−ヒドロキシ−ｓ−トリアジン塩や２，４−ジヒドロキシ−６−クロロ−トリアジン塩のような活性ハロゲンを有する化合物、ジビニルスルホン、ジビニルケトンやＮ，Ｎ，Ｎ−トリアクロイルヘキサヒドロトリアジン、活性な三員環であるエチレンイミン基やエポキシ基を分子中に二個以上有する化合物類、高分子硬膜剤としてのジアルデヒド澱粉等の種々の化合物の一種もしくは二種以上を用いることができる。
【００３８】
硬膜剤はすべての層に添加することもでき、幾つか又は一層にのみ添加することも可能である。勿論、拡散性の硬膜剤は二層同時塗布の場合、何れか一層にのみ添加することが可能である。添加方法は、乳剤製造時に添加したり、塗布時にインラインで添加することもできる。
【００３９】
本発明の平版印刷版において、下塗り層、ハロゲン化銀乳剤層及び物理現像核層等の各塗布層には、塗布助剤として、界面活性剤を含んでいてもよいし、カブリ防止剤、マット剤、増粘剤、帯電防止剤等を含むことができる。
【００４０】
本発明の平版印刷版の現像後の表面銀層は、任意の公知の表面処理剤でインキ受容性に変換ないしは受容性を増強せしめ得る。このような処理液としては、例えば特公昭４８−２９７２３号、米国特許第３７２１５５９号に記載されている。印刷方法、あるいは使用する不感脂化液、給湿液等は普通によく知られた方法によることができる。
【００４１】
【実施例】
以下に本発明を実施例により説明するが勿論本発明はこれだけに限定されるものではない。
実施例１
厚み１７５μｍの下引き済みポリエチレンテレフタレートフィルムの片面（裏面）に導電性カーボン（ＳＤ１０Ｍ、大日本インキ製）２ｇ／ｍ２、ゼラチン１．５ｇ／ｍ２を含む裏塗り第１層、平均粒子径３．５μｍのシリカ粒子を０．１ｇ／ｍ２、硬膜剤として２，４−ジクロロ−６−ヒドロキシ−ｓ−トリアジンナトリウムを含有するマット化剤（ゼラチン量１ｇ／ｍ２）の第２層を設けた。その反対側の面（表面）をコロナ放電加工後、下塗り層及びハロゲン化銀乳剤層を重層塗布した。
【００４２】
下塗り層は、ゼラチン３．５ｇ／ｍ２、カーボンブラック、平均粒径３．５μｍのシリカ粉末を１．２ｇ／ｍ２、スチレン−ブタジエンラテックス（日本エーアンドエル株式会社製ＰＯＬ７５２Ａ）２ｇ／ｍ２、及び硬膜剤として２，４−ジクロロ−６−ヒドロキシ−ｓ−トリアジンナトリウムを含有する。
【００４３】
ハロゲン化銀乳剤層はダブルジェット混合法で作成された平均粒子径０．３μｍの塩ヨウ化銀（塩化銀９９モル％）乳剤を用いた。該ハロゲン化銀は、混合時に塩化ロジウムをハロゲン化銀１モル当たり５×１０−６モルと、ヘキサクロロイリジウム（ＩＶ）酸カリウムをハロゲン化銀１モル当たり３×１０−６モル含有し、混合終了後、脱塩処理した後、化学増感（金−硫黄増感）を施したものである。ハロゲン化銀乳剤層は更に、１−フェニル−３−ピラゾリドンを０．１ｇ／ｍ２、下記表１に示す増感色素をハロゲン化銀１モル当たり１．１×１０−３モル、硬膜剤としてＮ−メチロールエチレン尿素、及び界面活性剤を含有する。該ハロゲン化銀乳剤層は、銀量が１．０ｇ／ｍ２、ゼラチン量が０．８ｇ／ｍ２となるように塗布された。
【００４４】
下塗り層とハロゲン化銀乳剤層を塗布乾燥後、４０℃で５日間加温後、特開平８−２１１６１４号の実施例１に記載の物理現像核塗布液（ポリマーとしてはＰ−２を使用）を塗布、乾燥して平版印刷版を作成した。
【００４５】
本発明外の比較増感色素として、化１２を同条件で添加して印刷版を作成し比較試料とした。
【００４６】
【化１２】
2005043403.tif 000011
【００４７】
上記のようにして作成した平版印刷版について４０℃で１日加温の試料（フレッシュ）と３５℃相対湿度７０％の条件下で１ヶ月間強制加温した試料を作り、以下のような試験を行った。
【００４８】
青色半導体レーザーを用いた出力機として、ＥＳＣＨＥＲ  ＧＲＡＤ社製青色半導体レーザ搭載イメージセッターＣｏｂａｌｔ８ＣＴＰ（発振波長４１０ｎｍ）を用いて露光し、下記の銀錯塩拡散転写現像液で、３０℃２０秒間現像処理を行って印刷用平版印刷版を作成した。
【００４９】
また、明室下での取り扱い性を評価するため、上記フレッシュの試料について、セーフライトとして約４５０ｎｍより短波長の光を除去した蛍光灯（ＮＥＣ社製純黄色蛍光灯ＦＬ−４０ＳＹＦ／Ｍ）を用いて、２００ルックスの光が当たるように試料を置き、その条件下で５分間照射した後に、上記と同様に青色半導体レーザーを用いた出力機で露光し、現像処理した。
【００５０】
2005043403.tif 000012
【００５１】
現像処理後、該原版を２本の絞りローラー間に通し、余分の現像液を除去し、直ちに下記組成を有する中和液で２５℃２０秒間処理し、絞りローラーで余分の液を除去し室温で乾燥した。
【００５２】
2005043403.tif 000013
【００５３】
以上の操作により作成した平版印刷版をオフセット印刷機に装着し、下記の感脂化液を版面にくまなく与え、下記給湿液を用いて印刷を行い、耐刷力を評価した。
【００５４】
2005043403.tif 000014
【００５５】
2005043403.tif 000015
【００５６】
耐刷力は、リョービ３２００ＣＤ（リョービＫ．Ｋ社製オフセット印刷機）を使用し、非画像部の地汚れおよび銀画像部の欠陥による画像飛びが生じて印刷に供せなくなった時の印刷枚数で、次の評価基準により判定した。尚インキはＡＢｄｉｃｋ３−１０１２を使用した。印刷試験の結果を表１に示した。ここで、耐刷力の評価は、実用感度及びセーフライト安全性の評価を兼ねている。即ち、実用感度が不足すると、非画像部に析出銀が生じ地汚れの原因となる。また、セーフライト安全性が劣ると、銀画像部の析出銀が不足して画像飛びが生じる。
【００５７】
Ａ：２０，０００枚以上
Ｂ：１５，０００枚以上〜２０，０００枚未満
Ｃ：１０，０００枚以上〜１５，０００枚未満
Ｄ：  ５，０００枚以上〜１０，０００枚未満
Ｅ：  ５，０００枚未満
【００５８】
【表１】
2005043403.tif 000016
【００５９】
上記結果より、本発明の平版印刷版は、青色半導体レーザーを用いた出力機に対して優れていることが分かる。
【００６０】
実施例２
アルミニウム支持体の電解粗面化処理及び陽極酸化は米国特許第５，４２７，８８９号公報に記載の方法に従って、平均直径約５μｍのプラトー上に直径０．０３〜０．３０μｍのピットを１００μｍ２当たり約５，６００個有し、かつこれらのピットの平均直径が０．０８μｍである厚さ０．３０ｍｍのアルミニウム板を得た。このアルミ板は粗面化処理後に陽極酸化したものであり、中心線平均粗さ（Ｒａ）は０．５〜０．６μｍ  であった。
【００６１】
上記アルミニウム支持体上に、少量の親水性バインダーを含む硫化パラジウムの物理現像核液を塗布し、その後乾燥した。物理現像核層に含まれるＰｄＳ核量は３ｍｇ／ｍ２であった。
【００６２】
ハロゲン化銀乳剤として、保護コロイドとして、アルカリ処理ゼラチンを用い、コントロールダブルジェット法で平均粒径０．２μｍの、ヘキサクロロイリジウム（ＩＶ）酸カリウムをハロゲン化銀１モル当たり６×１０−６モルドープさせた塩ヨウ臭化銀乳剤（ＡｇＢｒ１５モル％、ＡｇＩ０．４モル％）を作成した。更に、この乳剤に硫黄金増感を施し、表２に示す増感色素をハロゲン化銀１モル当たり１．１×１０−３モル加えて分光増感した。
【００６３】
このようにして作成したハロゲン化銀乳剤に、下記化１３のフィルター染料を０．４ｇ／ｍ２と界面活性剤を加え、前記物理現像核が塗布されたアルミニウム支持体上に銀量が２．５ｇ／ｍ２、ゼラチン（アルカリ処理ゼラチン）が３ｇ／ｍ２になるように塗布し、乾燥して平版印刷材料を得た。
【００６４】
【化１３】
2005043403.tif 000017
【００６５】
上記平版印刷版について、実施例１と同様な方法で評価した。但し、現像処理は、製版用プロセッサー（デュポン社製ＳＬＴ−８５Ｎ自動現像機）を用いて処理した。製版用プロセッサーは、現像処理工程（２２℃、１５秒間浸漬）、水洗処理工程（３３℃の水洗液を１２秒間シャワー噴射しながらスクラブローラーで乳剤層を剥離する）、仕上げ処理工程（２１℃、５秒間シャワー）及び乾燥工程から構成されている。用いた現像液、水洗液及び仕上げ液を以下に示す。
【００６６】
2005043403.tif 000018
【００６７】
2005043403.tif 000019
タンパク質分解酵素として、ビオプラーゼＡＬ−１５（細菌プロティナーゼ、長瀬産業（株）製）を用いた。
【００６８】
2005043403.tif 000020
【００６９】
上記記載の方法で作成された平版印刷版について、実施例１と同様にして印刷し、以下の基準で耐刷力を評価した。その結果を表２に示す。
Ａ：１００，０００枚以上
Ｂ：  ７５，０００枚以上〜１００，０００枚未満
Ｃ：  ５０，０００枚以上〜  ７５，０００枚未満
Ｄ：  ２０，０００枚以上〜  ５０，０００枚未満
Ｅ：  ２０，０００枚未満
【００７０】
【表２】
2005043403.tif 000021
【００７１】
【発明の効果】
本発明の平版印刷版は、青色半導体レーザーを用いた出力機に対して高い実用感度を有し、かつ明室下での取り扱いが可能であり、印刷版として高耐刷力で保存安定性が良好であり、青色半導体レーザー用平版印刷版としての性能を兼ね備えている。